(57)【要約】【課題】従来のカタログでは、製品の購入間違いを起こさないように、購入者に詳細の情報を知らせるように、前記カタログには製品仕様や取り扱いの注意、設置条件の注意など多くの情報を掲載し発行している。しかし、購入者のカタログの見間違いや勘違いから間違った加熱手段を含んだ誘導加熱調理器の購入することも考えられる。そこで、加熱手段に抵抗発熱手段を備えた誘導加熱調理器と誘導加熱手段のみを用いた誘導加熱調理器との選別に間違える事の無いカタログを提供する。【解決手段】全ての加熱部に誘導加熱手段を備えた三口タイプの誘導加熱調理器を掲載し、表紙にトッププレートに白色を基調とした色を施した前記誘導加熱調理器を掲載した。【選択図】図１
2017064956.tif 000002
【特許請求の範囲】
【請求項１】
全ての加熱部に誘導加熱手段を備えた三口タイプの誘導加熱調理器を掲載し、表紙にトッププレートに白色を基調とした色を施した前記誘導加熱調理器を掲載した事を特徴とするカタログ。
【発明の詳細な説明】
【技術分野】
【０００１】
本発明は、誘導加熱調理器のカタログに関するものである。
【背景技術】
【０００２】
特許文献１では、複数の照明器具のような商品を掲載したカタログで、商品見本の写真と商品の説明や商品名、価格等が記載され、商品は、取付け位置別に分類して同一分類内ではよく似たデザイン毎にまとめ、高ワットから低ワットの順に並べているものである。
【０００３】
特許文献２に示された誘導加熱調理器は、鍋を誘導加熱することで直接鍋を発熱させる誘導加熱手段（誘導加熱コイル）と、抵抗の発熱によってトッププレート越しに熱伝導によって鍋を加熱する抵抗発熱手段（ラジエントヒータ）とが混在した三口タイプで、特許文献３に示された誘導加熱調理器は、搭載している加熱手段が全て鍋を誘導加熱することで直接鍋を発熱させる三口タイプである。
【先行技術文献】
【特許文献】
【０００４】
【特許文献１】実開昭５５−４２５８１号公報
【特許文献２】特開２００８−３１０９６２号公報
【特許文献３】特開２００８−２１５１９号公報
【発明の概要】
【発明が解決しようとする課題】
【０００５】
誘導加熱調理器の発売当初は、主にガス式の加熱調理器からの変更になるため、誘導加熱出来ないアルミ鍋や銅鍋、土鍋などの加熱が可能なように必ず抵抗発熱手段を混在させた誘導加熱調理器を提供してきた。
【０００６】
しかしながら、誘導加熱調理器の普及に伴い、誘導加熱調理器に使用できる鍋の普及も進み、誘導加熱調理器を使用していない家庭においても誘導加熱調理器に使用できる鍋の保有している状況も増えてきている。また、誘導加熱調理器の買い替えの需要も増えてきている。そのため、誘導加熱調理器を買う状況で保有している鍋が使用出来るかを心配する環境も減り、また省エネルギーの関心の高まりによりにより抵抗の発熱によってトッププレート越しに熱伝導によって鍋を加熱する抵抗発熱手段より、鍋を誘導加熱することで直接鍋を発熱させる誘導加熱手段の熱効率の良いことと、さらに抵抗発熱手段はトッププレート越しに熱伝導によって鍋を加熱するため、トッププレートが高温となるのに対して誘導加熱手段は、鍋を直接発熱させるためトッププレートの温度が鍋の温度以上に加熱されないことで安全性が広く知られるようになった（但し、前記トッププレートの温度が鍋の温度以上に上昇しない特徴は制御方式等の違いで製品によって異なる）。そのため、抵抗の発熱によるトッププレート越しに熱伝導によって鍋を加熱する抵抗発熱手段を備える必要が激減してきている。
【０００７】
前述した二種類の誘導加熱調理器は、製品の外形の大きさは同じで、使用出来るキッチンも共用可能でキッチンに設置する方法も同じである。また鍋などを載置して加熱する天板となるトッププレート（プレート）は耐熱ガラスが使用され、加熱手段は加熱部となるトッププレートの下方、本体の中に備え外観から加熱手段は見えないため、加熱手段が抵抗発熱手段なのか誘導加熱手段なのかが分かり難い状況にある。また、抵抗発熱手段を備える誘導加熱調理器と、誘導加熱手段のみを備える誘導加熱調理器は、加熱調理器としてはどちらも鍋を加熱する機能をはたすため、間違って購入しても、加熱調理器として使用するのに支障のない形態をしている。
【０００８】
しかし、前記抵抗発熱手段を備える誘導加熱調理器と、誘導加熱手段のみを備える誘導加熱調理器とを、大別して前述した加熱手段の違いから可燃物からの離隔距離を異なる設置条件が求められている。
【０００９】
以上のことから上記した特許文献１に公開されているカタログでは、製品の購入間違いを起こさないように、購入者に詳細の情報を知らせるように、前記カタログには製品仕様や取り扱いの注意、設置条件の注意など多くの情報を掲載し発行している。しかし、購入者のカタログの見間違いや勘違いから間違った加熱手段を含んだ誘導加熱調理器の購入することも考えられる。
【課題を解決するための手段】
【００１０】
本発明は、上記の課題を解決するためになされたものであり、全ての加熱部に誘導加熱手段を備えた三口タイプの誘導加熱調理器を掲載し、表紙にトッププレートに白色を基調とした色を施した前記誘導加熱調理器を掲載したものである。
【発明の効果】
【００１１】
本発明によれば、三口用の誘導加熱調理器の選定において、テーブルプレートに載置した鍋やフライパンを加熱する加熱手段に抵抗発熱手段を備えた誘導加熱調理器と誘導加熱手段のみを用いた誘導加熱調理器との選別に間違える事の無いものである。
【図面の簡単な説明】
【００１２】
【図１】一実施例のカタログの製品の外観写真イラスト部の説明図。
【図２】一実施例のカタログの製品の外観写真イラスト部の説明図。
【図３】一実施例のカタログの仕様機能説明部の説明図。
【図４】一実施例のカタログの綴じた状態の概略図。
【図５】一実施例のカタログのページ割りの説明図。
【発明を実施するための形態】
【００１３】
以下本発明の一実施例を図面に基づいて詳細に説明する。図４は、カタログの綴じた状態の概略図、図５はカタログのページ割りの説明図である。
【００１４】
Ａ３用紙を折りたたんで重ねて真ん中をホチキス止めしてＡ４サイズに綴じている。誘導加熱調理器のカタログとして、表紙１０には本体のイメージ写真等が掲載されている。一般に市場では誘導加熱調理器は、ＩＨクッキングヒーターと呼ばれている。表紙１０には、製品の写真の掲載と「ＩＨクッキングヒーター」の文字とが記載されている。
【００１５】
表紙には、トッププレートの材料に透明度の高いホウケイ酸ガラスを用い、裏側から耐熱塗料によって例えば白を塗った、白の美しさを表現した誘導加熱調理器１０ａが表されている。特にホワイトを基調とした色をトッププレート１０ｂに施した誘導加熱調理器１０ａは、見た目に清潔でキッチンにマッチする良さを表現でき、また近年のオープンキッチンスタイルにマッチした美しさを表現できる。
【００１６】
加熱手段に抵抗発熱手段を用いた誘導加熱調理器では、抵抗発熱手段の発熱温度が高い為、トッププレートに使用する材料に透明度の高いガラスの使用ができなかった。トッププレートの塗装は鍋などの擦れによる塗料の剥がれを防止するために、ガラスの裏面側に塗装を施している。耐熱温度の高いガラスは透明度が悪く、裏面に塗った塗料の色がガラスの色によって阻害され、トッププレートを美しく飾る色の美しさの表現が難しく、カタログで見た目での訴求が出来なかった。また、同一製品の色違いでは、互いに相対的な見え方から色を文字で表現していた。表現例として黒っぽい色調の製品と白っぽい色調の製品において黒色と白色と表現した。
【００１７】
図５は、カタログ１のページ割を示している。ページは０ページから数えるものとする。０ページは表紙１０で、１１ページは裏表紙１１である。
【００１８】
1ページ、２ページは見開きで製品の訴求を表す主訴求部５である。たとえば、どんな調理が出来るかなど調理品の完成時の写真を掲載し、一目で見ている人の心を射止める仕上げとしている。またイラスト等を用いて使う人の嬉しさを伝えられるように新しい構造や動作の訴求を説明している。
【００１９】
３ページ、４ページは、前記した主訴求部５に掲載された機能や構造の詳細を掲載し、また上位の機種を掲載する上位機種部２０である。ここでは、外観写真イラスト部１２によって、上位機種部２０の外観などを示す部分である。
【００２０】
５ページ、６ページは、主訴求部１２に掲載された機能や構造を一部搭載し、価格を抑えた標準普及機種部２１を示す部分である。ここでは、外観写真イラスト部１３によって、標準普及機種部２１の外観などを示す部分である。
【００２１】
7ページ、８ページも、前記５ページ、６ページと同様に標準普及機種部２１を示す部分である。ここでは、外観写真イラスト部１３によって、標準普及機種部２１の外観などを示す部分である。
【００２２】
９ページ、１０ページは、全ての掲載機種について、仕様や機能を説明するための仕様機能説明部１４である。
【００２３】
図１は、３ページ、４ページで、上位機種部２０の外観写真イラスト部１２である。見開きページの上方などに主訴求部５の内容をうけて示すＡ訴求部４を配置し、右下には別の訴求を示すＢ訴求部４ｂを配置している。ここでは、本体の外観の写真を左側の３ページに２型式、右側の４ページに１型式を写真イラスト部２で掲載している。本体の写真の近傍で右側または左側に型式を表示する型式番号部６を備え、型式番号部６の近傍に、加熱手段が誘導加熱方式であることを示す文字やイラスト等がデザインされたイラスト６ａを掲載する。
【００２４】
本体の外観写真イラスト部１２に示す３台の誘導加熱調理器は、トッププレート上の加熱手段は、全て誘導加熱方式で有ることを示す誘導加熱部３を表示して示している。該表示は、本体のトッププレート（天板）を示し（製品の上方写真を示し）、トッププレートに載置した鍋を加熱する加熱部の位置に合わせて、加熱部を示す円形のイラストや該円形の中に加熱手段が誘導加熱方式であることを示す文字や文字をデザインして掲載している。
【００２５】
図２は、５ページ、６ページの例で、標準普及機種部２１の外観写真イラスト部１３である。見開きページの上方に、主訴求部５の内容をうけて示すＣ訴求部４ｃである。ここでは、本体の外観の写真を左側の５ページに２型式、右側の６ページに２型式を示す写真イラスト部２で示す。本体の写真の近傍、右側または左側に型式を表示する型式番号部６を備え、型式番号部６の近傍に、加熱手段が誘導加熱方式であることを示す文字や文字をイラスト等がデザインされたイラスト６ａを掲載してもよい。
【００２６】
本体の外観写真イラスト部１３に示す４台の誘導加熱調理器は、トッププレートに載置した鍋を加熱する加熱部の加熱手段は、全て誘導加熱であることを示す誘導加熱部３を示している。該表示は、本体のトッププレート（天板）を示し（製品の上方写真を示し）、トッププレートに載置した鍋を加熱する加熱部の位置に合わせて、加熱部を示す円形のイラストや該円形の中に加熱手段が誘導加熱方式であることを示す文字や文字をデザインして掲載している。
【００２７】
詳細は図示しない7ページ、8ページについても、前記の5ページ、6ページと同様の配置で示すものである。
【００２８】
図３は、カタログの仕様機能説明部の説明図である。全ての掲載機種について、仕様や機能を説明するための仕様機能説明部１４である。見開きで大部分を占める仕様機能表１４ａがある。たとえば、型式番号や本体の外観写真を示す型式欄１４ａ１を最上段に配置し、左端の縦列に仕様や機能の項目を示す項目欄１４ａ２を示して、型式ごとに異なる仕様、機能、色を文字、数字、丸印等で見やすく表示して掲載される。その仕様機能表１４ａの中で説明しきれない数値や条件について、カッコ書きの番号「（1）、（2）」などを示すなどして、注意書き部１４ｂに注意書きがあることを示す。
【００２９】
以上のように、誘導加熱調理器の記載するページには、加熱手段が混在する事なく記載し、トッププレートの色の良さを十二分に表現したカタログとする。
【００３０】
次に、カタログに記載する誘導加熱調理器について説明する。
【００３１】
誘導加熱調理器には、図１にも示すように、加熱部が四口有るタイプ、三口有るタイプ二口有るタイプ、さらに図示していないが一口のタイプがある。
【００３２】
一般家庭に広く普及しているのが三口のタイプで、加熱部の位置は、トッププレートの手前側に大火力の加熱部が二カ所と中央奥側に火力の弱い加熱物が一カ所設けられている。この中央奥側の加熱部は、主に手のかからない煮込みなど、とろ火で長時間加熱する調理に主に使用されている。他に中央奥側の加熱手段として、誘導加熱手段の他に抵抗発熱手段を使用したラジエントヒータを搭載した機種もある。
【００３３】
この三口の誘導加熱調理器は、発売当初は、ガス加熱からの移行を容易にできるように、誘導加熱できない鍋（例えばアルミや銅製の鍋、土鍋）への配慮、焼き海苔などの乾燥が有る程度可能なように、三カ所の加熱部の一部に抵抗発熱手段を用いて製品化したものである。そして、誘導加熱調理器の普及が進むにつれ、市販鍋の誘導加熱への対応が進み、また誘導加熱手段による鍋への加熱効率が約９０％と高い事から、三口の加熱手段が全て誘導加熱手段とした製品の販売構成比率が次第に多くなってきた。
【００３４】
また加熱部のすべてを誘導加熱手段とすることで、全ての加熱部において鍋の温度検出が可能となり、鍋の予熱を自動に適切に行ったり、揚げ物時の油温の温度調節を正確に行う事が可能となった。また鍋の空焼き防止や油温の温度管理する制御が可能となり製品としての安全性が高まり、特定の条件を満足することで、製品設置時の可燃物からの前記離隔距離が緩和され、該離隔距離を小さくして製品を設置する事が可能となり、製品の設置範囲が広がり使い勝手が良いものとなった。
【００３５】
製品の外形の大きさは同じで、使用出来るキッチンも共用可能でキッチンに設置する方法も同じである。また鍋などを載置して加熱する天板となるトッププレート（プレート）は耐熱ガラスが使用され、加熱手段は加熱部となるトッププレートの下方、本体の中に備え外観から加熱手段は見えないため、加熱手段が抵抗発熱手段なのか誘導加熱手段なのかが分かり難い状況にある。また、抵抗発熱手段を備える誘導加熱調理器と、誘導加熱手段のみを備える誘導加熱調理器は、加熱調理器としてはどちらも鍋を加熱する機能をはたすため、間違って購入しても、加熱調理器として使用するのに支障のない形態をしている。
【００３６】
但し、この二種類の三口用の誘導加熱調理器は、製品外形もほぼ同じ大きさのため、キッチンに設けられる落とし込み用の穴の大きさも同じである。また、鍋などを載置して加熱する天板となるトッププレート（プレート）も見た目は同じで、加熱手段は加熱部となるトッププレートの下方、本体の中に備え外観から加熱手段は見えないため、加熱手段が抵抗発熱手段なのか誘導加熱手段なのかが分かり難い状況にある。
【００３７】
また前記抵抗発熱手段を備える誘導加熱調理器と、誘導加熱手段のみを備える誘導加熱調理器は、加熱調理器としてはどちらも鍋を加熱する機能をはたすため、間違って購入しても、加熱調理器として使用するのに支障のない形態をしている。
【００３８】
そのため、前述したすべての加熱部が誘導加熱手段を使用した誘導加熱調理器から発熱部に抵抗発熱手段を使用した誘導加熱調理器へ買い替える時には、特に可燃物からの前記離隔距離を長く必要とする可能性が多く注意を要する。
【００３９】
上記した本実施例によれば、三口用の誘導加熱調理器の選定において、テーブルプレートに載置した鍋やフライパンを加熱する加熱手段に抵抗発熱手段を備えた誘導加熱調理器と誘導加熱手段のみを用いた誘導加熱調理器との選別に間違える事の無いものである。
【符号の説明】
【００４０】
１  カタログ  
２  写真イラスト部
１０  表紙
１０ａ誘導加熱調理器
１０ｂトッププレート
【図１】
2017064956.tif 000003
【図２】
2017064956.tif 000004
【図３】
2017064956.tif 000005
【図４】
2017064956.tif 000006
【図５】
2017064956.tif 000007